(57)【要約】【課題】  通常のドラムに近い音色を得つつ、打撃に起因するドラムヘッドの破損等の可能性を低減させ、打撃時の発生音の音量の低減を可能にする技術を提供する。【解決手段】  ドラムヘッド３は、外周に沿って複数の開口孔１５が形成されたヘッド部１１を有し、開口孔１５の周縁の少なくとも一部には補強部材１５０が固定されている。補強部材１５０は、開口孔１５の周縁にかかる張力を増大させるとともに、開口孔１５の周縁を覆うことにより同周縁を補強する役割を果たす。【選択図】図１
2017173723.tif 000002
【特許請求の範囲】
【請求項１】
外周に沿って複数の開口孔が形成された膜部を有し、
前記開口孔の周縁の少なくとも一部に補強部材を設けたことを特徴とするドラムヘッド。
【請求項２】
前記補強部材の少なくとも一部は、前記開口孔の周縁に沿って設けられていることを特徴とする請求項１に記載のドラムヘッド。
【請求項３】
前記補強部材は、複数の開口孔のうち互いに隣り合う少なくとも１組の開口孔の各々の周縁と前記膜部の外周付近の各部に亘って設けられていることを特徴とする請求項１または２に記載のドラムヘッド。
【請求項４】
前記補強部材の一部は、前記開口孔を跨いでいることを特徴とする請求項１〜３の何れか１の請求項に記載のドラムヘッド。
【請求項５】
前記補強部材は、前記膜部の上面または下面の少なくとも一方に設けられていることを特徴とする請求項１〜４に記載のドラムヘッド。
【請求項６】
請求項１〜５の何れか１の請求項に記載のドラムヘッドを備えるドラム。
【発明の詳細な説明】
【技術分野】
【０００１】
本発明は、ドラムヘッドおよびこれを備えるドラムに関する。
【背景技術】
【０００２】
一般に、アコースティックドラムでは、打撃時に大音量の音が発生する。ドラムの演奏場所や、ドラムと共に演奏する他の楽器との音量のバランスによっては、発生音の音量を低減させる必要がある。そこで、発生音の音量を低減するための様々な構造が提案されている。
【０００３】
例えば特許文献１には、ドラムヘッドの打面やこれと反対側の面の一部領域に各種ミュート部材を取り付けた構造が開示されている。この構造では、ドラムヘッドを打撃した際のドラムヘッドの振動をミュート部材によって吸収することで、発生音の音量低減が実現される。
【０００４】
また、例えば特許文献２には、多数の小孔（例えば直径コンマ数ｍｍ〜数ｍｍ程度）を全体に形成した構造のドラムヘッドが開示されている。この構造では、ドラムヘッドから振動が伝搬される空気の量が減少し、発生音の音量低減が実現される。
【先行技術文献】
【特許文献】
【０００５】
【特許文献１】米国特許第５６３７８１９号明細書
【特許文献２】特許第３８３５０８４号公報
【発明の概要】
【発明が解決しようとする課題】
【０００６】
しかしながら、特許文献１のようにミュート部材をドラムヘッドに取り付けた構造のドラムでは、発生音のサステインの長さが、ミュート部材を設けない通常の構造のドラムと比較して非常に短くなり、音の伸びがなくなる。つまり、ミュート部材を用いたドラムの発生音は、通常のドラムの発生音と比較して、明るさのない不自然な音色（劣化した音色）となる。
【０００７】
また、特許文献２のように微小な小孔が形成されたドラムヘッドでは、各小孔を通じてドラムの内外に空気が流出入する際のエネルギー損失（すなわち、摩擦損失）が大きく、発生音のサステインの長さが通常のドラムの発生音と比較して非常に短くなり、アタック音のみが強調された不自然な音色となる。
【０００８】
ドラム本来の自然な音色を維持しつつ音量を低減させるためには、特許文献２における各小孔（以下、開口孔）の直径を大きくし、上記エネルギー損失を抑えつつ振動が伝播される空気の量を減らすことが効果的であるようにも思われる。しかし、このような策をとったとしても、音量が低減するだけで、ドラム本来の自然な音色を維持することはできない。また、開口孔の直径を大きくすることにより、ドラムヘッドが破損または変形する可能性が高くなる。
【０００９】
本発明は、上述した事情に鑑みてなされたものであって、通常のドラムに近い音色を得つつ、打撃に起因するドラムヘッドの破損等の可能性を低減させ、打撃時の発生音の音量の低減を可能にする技術を提供することを目的とする。
【課題を解決するための手段】
【００１０】
上記課題を解決するために本発明は、外周に沿って複数の開口孔が形成された膜部を有し、当該開口孔の周縁の少なくとも一部に補強部材を設けたことを特徴とするドラムヘッドを提供する。
【００１１】
本発明によれば、開口孔は膜部の外周に沿って形成されているため、開口孔の開口面積を大きくしても演奏の妨げになることがなく、開口面積を大きくできる分だけ、音量を低減させることができる。また、開口面積を大きくできる分だけ、開口孔を通じて空気が流出入する際のエネルギー損失が特許文献２に開示の技術に比較して小さくなり、打撃時の発生音におけるサステインの長さを通常のドラムに近づけることができる。
【００１２】
外周に沿って開口孔が形成された膜部に張設により張力を与えても、膜部の周径方向各部には均一に張力がかからず、膜部に与えられた打撃に応じて開口孔の周縁が不規則に振動する現象や、開口孔の周縁を腹とした定在波（振動）が発生する現象が起こりやすくなる。これらの現象が顕著になると、ドラム本来の自然な音色が得られなくなる。また、振動エネルギーの散逸が大きくなり、振動が持続せずサステインの長さの短い不自然な音色の音が発生する。
【００１３】
張設により膜部に与える張力を大きくすれば、開口孔の周縁にかかる張力を増大させることができる。しかし、この場合、各開口孔の間の幅の狭い領域に局所的に大きな力がかかり、シェルの外周の近辺で膜部が破損または変形する虞がある。
【００１４】
また、膜部の破損または変形は、張力によって発生するだけでなく、スティック等による打撃によっても発生し得る。特に、開口孔の周縁では、スティック等によって打撃されると、打撃箇所を起点として膜部の破損または変形が発生しやすい。
【００１５】
本発明では、開口孔の周縁の少なくとも一部に補強部材を設けることにより、張設により開口孔の周縁に張力がかかりやすくなり、開口孔の周縁の振動が抑制され、上記各現象が発生しにくくなる。このため、通常のドラムと同様の振動が発生し、不自然な音色の音の発生が防止される。また、開口孔の周縁には復元力が作用するようになり、振動エネルギーの散逸が防止され振動が持続する。したがって、サステインの長さの短い不自然な音色の音の発生が防止される。
【００１６】
また、膜部に与える張力を大きくしなくても、開口孔の周縁が膜部の半径方向に引っ張られ、膜部の周径方向各部に均一に張力がかかるようになる。このため、シェルの外周の近辺に局所的に大きな張力がかかることがなく、膜部の破損または変形が防止される。
【００１７】
また、開口孔の周縁の少なくとも一部に補強部材が固定されているため、開口孔の周縁が補強され、膜部にはスティック等で打撃されても破損または変形しない高い耐久性が備わる。したがって、打撃に起因する膜部の破損等の可能性を低減させることが可能となる。
【００１８】
以上より、通常のドラムの発生音に近い音色を得つつ、打撃に起因するドラムヘッドの破損等の可能性を低減させ、打撃時の発生音の音量を低減することが可能となる。
【００１９】
なお、打撃時におけるアタック音の強化、或いはマイクによる集音時の便宜のため、フロント側のヘッド（膜部）に開口孔を形成する場合がある。この種のヘッドを装着したドラムでは、開口孔の周縁の振動に起因して不自然な音色の音が発生する場合があり、開口孔の周縁にリングミュートを取り付ける場合がある。本願発明は、開口孔の周縁に部材を固定するという点において上記技術と共通する。しかし、上記技術は、打面側のヘッドに形成した開口孔に適用されるものではなく、本願発明とは異なるものである。
【図面の簡単な説明】
【００２０】
【図１】本発明の第１実施形態であるドラムヘッド３を有するドラム１の構成を示す図である。
【図２】同実施形態におけるドラムヘッド３の構成を示す図である。
【図３】同実施形態における有効振動膜部１２にかかる張力を示す図である。
【図４】本発明の第２実施形態であるドラムヘッド３Ａの構成を示す図である。
【図５】本発明の第３実施形態であるドラムヘッド３Ｂの構成を示す図である。
【図６】本発明の第４実施形態であるドラムヘッド３Ｃの構成を示す図である。
【図７】本発明の第５実施形態であるドラムヘッド３Ｄの構成を示す断面図である。
【図８】本発明の第６実施形態であるドラムヘッド３Ｅの構成例を示す図である。
【図９】ドラムヘッド３Ｅの他の構成例を示す図である。
【図１０】本発明の第７実施形態であるドラムヘッド３Ｆの構成を示す図である。
【発明を実施するための形態】
【００２１】
＜第１実施形態＞
以下、図面を参照して本発明の実施の形態について説明する。
図１は、本発明の第１実施形態であるドラムヘッド３を有するドラム１の構成を示す図である。図１（ａ）はドラム１の平面図であり、図１（ｂ）は図１（ａ）のＩＢ−ＩＢ矢視断面図であり、図１（ｃ）は図１（ａ）のＩＣ−ＩＣ矢視断面図である。ドラム１は、例えばタムであり、図１（ａ）および（ｂ）に示すように、筒状のシェル（胴部）２と、シェル２の一方の開口に取り付けられて打面として使用されるドラムヘッド３と、張設部４とを備える。シェル２は、木材や金属などの材料によって構成されている。
【００２２】
図２は、ドラムヘッド３の構成を示す図である。図２（ａ）はドラムヘッド３の平面図であり、図２（ｂ）は図２（ａ）のＩＩＢ−ＩＩＢ矢視断面図である。ドラムヘッド３は、フレッシュフープ１４と、ＰＥＴ（ポリエチレンテレフタラート）などのフィルムからなる円形のヘッド部１１とを備える。フレッシュフープ１４は、ヘッド部１１の外縁に連結されて、ヘッド部１１を保持する。フレッシュフープ１４は、その内径寸法がシェル２の外径寸法よりも大きな円環状に形成されている。
【００２３】
ヘッド部１１は、シェル２の外周の内側に位置する有効振動膜部１２と、外側に位置する外側膜部１３とを有する。有効振動膜部１２は、ドラムヘッド３がシェル２の一方の開口に取り付けられた状態で打撃された際に有効に振動する部分である。図２（ｂ）に示すように、外側膜部１３は、ヘッド部１１をシェル２に取り付けていない状態においても、縁部２Ａ（有効振動膜部１２と外側膜部１３の境界部分）から有効振動膜部１２の半径方向外側に向かうにしたがって有効振動膜部１２の膜厚方向に傾斜するように延在しているが、これに限ることはない。
【００２４】
ヘッド部１１は、張設部４による張設によりシェル２に取り付けられる。より詳細には、張設部４は、従来周知のラグ２１、フープ２２及びチューニングボルト２３によって構成されている。フープ２２は、スチール、アルミニウム、亜鉛などの従来のアコースティックドラムに装着されるフープと同様の材質で構成されている。チューニングボルト２３が螺着されるラグ２１は、シェル２の周径方向に均等に複数配列されている。各ラグ２１に螺着された各チューニングボルト２３を締め付けることで、フープ２２がドラムヘッド３のフレッシュフープ１４をシェル２の一方の開口側から他方の開口側に向けて付勢する。これによって、ヘッド部１１がシェル２の一方の開口に張り付けられ、有効振動膜部１２に張力が付与される。
【００２５】
図２（ａ）に示すように、有効振動膜部１２は、外周領域１２Ｘと中央領域１２Ｙに分けられる。外周領域１２Ｘは、有効振動膜部１２のうち、演奏時にドラムスティック等により打撃されない領域或いは打撃される頻度の低い領域である。また、中央領域１２Ｙは、有効振動膜部１２のうち演奏時に打撃される頻度の高い領域である。中央領域１２Ｙの半径は、中央領域１２Ｙを十分な大きさで確保できるように、例えば有効振動膜部１２の半径の７５％に設定されるとよい。
【００２６】
ヘッド部１１には、外周領域１２Ｘと外側膜部１３の各部に跨って、複数の開口孔１５が形成されている。各開口孔１５の周縁は滑らかな曲線状に湾曲しており、外側膜部１３に属する部分の一部はフレッシュフープ１４に達している。
【００２７】
各開口孔１５の周縁のうち外周領域１２Ｘに属する部分（以下、内側の縁部）は有効振動膜部１２の中心に向かって突き出るように湾曲している。本実施形態では、開口孔１５は、有効振動膜部１２の半径方向の寸法が有効振動膜部１２の周径方向の開口孔１５の寸法よりも小さくなるように形成されている。これにより、中央領域１２Ｙの面積を十分に確保しながら、開口孔１５の開口面積を十分に確保することが可能となる。
【００２８】
複数の開口孔１５の各々は互いに同一形状かつ同一寸法に形成されている。有効振動膜部１２における各開口孔１５の開口面積は、例えば７８ｍｍ２以上に設定されるとよい。また、複数の開口孔１５は有効振動膜部１２の周径方向に沿って等間隔に配列され、各々左右対称な形状に形成されている。このように、対称性を有し同一形状かつ同一寸法の複数の開口孔１５を等間隔に配列することにより、ドラムヘッドの対称性を良好に保ち、打撃に伴うドラムヘッド３の全ての振動モードを通常のドラムヘッドに近い振動形態とするのである。これにより、複数の開口孔１５が有効振動膜部１２の周径方向に沿って等間隔に配列されていないドラムヘッドを装着したドラムの発生音に比べて、通常のドラム（開口孔１５の無いドラムヘッドを有するドラム）の発生音に近い音色の音を発生させることが可能となる。
【００２９】
各開口孔１５の周縁には、補強部材１５０が固定（貼着）されている。補強部材１５０は、厚さ１００〜２５０μｍ、幅５〜１５ｍｍ程度のＰＥＴフィルムにより構成され、ヘッド部１１と同程度或いはそれ以上の剛性を有する。補強部材１５０は、略リング状の形状を有し、外周領域１２Ｘと外側膜部１３の各部に跨って、開口孔１５の周縁に沿って固定されている。このように開口孔１５の周縁を補強部材１５０で覆うことにより、開口孔１５の周縁を補強することができる。また、開口孔１５の周縁に他の領域よりも剛性の高い高剛性領域が形成されるといった効果も期待される。ヘッド部１１をシェル２に取り付け、張設部４により張力を加えると、有効振動膜部１２に加えて補強部材１５０に張力がかかる。
以上が、ドラム１の構成である。
【００３０】
本実施形態によれば、有効振動膜部１２の半径方向の開口孔１５の寸法が、有効振動膜部１２の周径方向の開口孔１５の寸法よりも小さいため、中央領域１２Ｙの面積を十分に確保しながら、開口孔１５の開口面積を十分に確保することができる。また、開口孔１５は有効振動膜部１２の外周領域１２Ｘおよび外側膜部１３に形成されているため、開口孔１５の開口面積を大きくしても演奏の妨げになることがない。したがって、開口孔１５の開口面積を大きくできる分だけ、ドラムヘッド３の打撃時に、ドラムヘッド３から振動が伝搬される空気の量が減少し、発生音の音量を低減することができる。また、開口孔１５の開口面積を大きくできる分だけ、開口孔１５を通じてドラム１の内外に空気が流出入する際のエネルギー損失が特許文献２に開示の技術に比較して小さくなり、打撃時の発生音におけるサステインの長さを通常のドラムに近づけることができる。また、開口孔１５の内側の縁部は、有効振動膜部１２の中心に向かって突き出るように湾曲しているため、有効振動膜部１２に付与される張力を均一化させることができる。その結果、本実施形態の発生音は、通常のドラムの発生音にさらに近い音色となる。
【００３１】
また、開口孔１５の周縁に補強部材１５０を固定することにより、開口孔１５の周縁に張力がかかりやすくなる。図３は、有効振動膜部１２にかかる張力を示す図である。図３（ａ）に示すように、補強部材１５０が固定されていないヘッド部１１では、張設部４により有効振動膜部１２に張力を与えると、各開口孔１５の間の領域に有効振動膜部１２の半径方向（図中矢印の方向）に張力がかかる。一方、開口孔１５の周縁（図中丸囲みした部分）には張力がほとんどかからず、開口孔１５の周縁が不規則に振動する現象や、開口孔１５の周縁を腹とした定在波が発生する現象が生じる。
【００３２】
これに対し、補強部材１５０が貼着されたヘッド部１１では、図３（ｂ）に示すように、張設部４により与えられた張力が、図３（ａ）に示す領域に加えて、開口孔１５の周縁にもかかるようになる（図中矢印参照）。これにより、開口孔１５の周縁の振動が抑制され、上記各現象が発生しにくくなる。このため、通常のドラムと同様の振動が発生し、不自然な音色の音の発生が防止される。また、開口孔１５の周縁に復元力が作用するようになり、振動エネルギーの散逸が防止され振動が持続する。したがって、サステインの長さの短い不自然な音色の音の発生が防止される。また、有効振動膜部１２の周径方向各部に均一に張力がかかるようになり、シェル２の外周の近辺に局所的に大きな張力がかかることがなく、有効振動膜部１２（外周領域１２Ｘ）の破損または変形が防止される。
【００３３】
また、開口孔１５の周縁に補強部材１５０を固定することにより、開口孔１５の周縁が補強され、有効振動膜部１２にはスティック等で打撃されても破損または変形しない高い耐久性が備わる。したがって、打撃に起因する有効振動膜部１２の破損等の可能性を低減させることが可能となる。
【００３４】
以上より、通常のドラムに近い音色を得つつ、打撃に起因するドラムヘッドの破損等の可能性を低減させ、打撃時の発生音の音量を低減することが可能となる。
【００３５】
なお、ヘッド部１１全体に補強部材１５０を固定する態様や、ヘッド部１１（フィルム）の厚みを全体的に厚くする態様によっても、開口孔１５の周縁の剛性を高めることは可能である。しかし、この態様では、通常のドラムとは異なる音色の音が発生するだけでなく、打感が損なわれる虞がある。本実施形態のように、開口孔１５の周縁にのみ補強部材１５０を固定することにより、そのような問題を発生させることなく、前述の効果を得ることができる。
【００３６】
＜第２実施形態＞
図４は、本発明の第２実施形態であるドラムヘッド３Ａの構成を示す図である。図４（ａ）はドラムヘッド３Ａの平面図であり、図４（ｂ）は図４（ａ）を矢印Ａ方向から見たドラムヘッド３Ａの側面図である。図４（ａ）に示すように、ドラムヘッド３Ａは補強部材１５０Ａを有する。補強部材１５０Ａは、弧状の形状を有し、開口孔１５の周縁のうち外周領域１２Ｘにのみ固定されている。補強部材１５０Ａの両端部は縁部２Ａ付近に貼着され、その一端から他端に至る領域は滑らかな曲線を描きつつ開口孔１５の周縁（外周領域１２Ｘ）に固定されている。補強部材１５０Ａを除く他の部分の構成はドラムヘッド３と同一であり、図４において図２と共通する部分には同一符号を付し、詳細な説明は省略する。この態様では、シェル２に固定されたヘッド部１１に対して補強部材１５０Ａを後付けしてもよく、簡単に開口孔１５の周縁を補強することができる。したがって、ドラムヘッド３の製造時の手間が省け、製造コストを低減させることができる。ただし、この態様では、補強部材１５０Ａが外側膜部１３に固定されず、開口孔１５の周縁にかかる張力が上記第１実施形態に比べて減少する。この点に留意して適宜固定態様を選択するのが望ましい。
【００３７】
＜第３実施形態＞
図５は、本発明の第３実施形態であるドラムヘッド３Ｂの構成を示す図である。図５（ａ）はドラムヘッド３Ｂの平面図であり、図５（ｂ）は図５（ａ）を矢印Ａ方向から見たドラムヘッド３Ｂの側面図である。図５（ａ）に示すように、ドラムヘッド３Ｂはヘッド部１１Ｂおよび補強部材１５０Ｂを有する。ヘッド部１１Ｂは有効振動膜部１２Ｂと外側膜部１３Ｂに大別され、有効振動膜部１２Ｂ（外周領域１２Ｘのみ）には開口孔１５Ｂが形成されている。開口孔１５Ｂの周縁には、その周縁に沿って補強部材１５０Ｂが固定されている。補強部材１５０Ｂは、開口孔１５Ｂの周縁に固定されているという点において補強部材１５０と異なる。上記各部を除く他の部分の構成はドラムヘッド３と同一であり、図５において図２と共通する部分には同一符号を付し、詳細な説明は省略する。この態様によっても、第２実施形態と同様の効果が得られる。加えて、この態様では、シェル２に固定されたヘッド部１１Ｂに対して、後加工により開口孔１５Ｂを形成してもよく、ドラムヘッド３の製造時の手間を更に省くことができる。
【００３８】
＜第４実施形態＞
図６は、本発明の第４実施形態であるドラムヘッド３Ｃの構成を示す図である。図６（ａ）はドラムヘッド３Ｃの平面図であり、図６（ｂ）は図６（ａ）を矢印Ａ方向から見たドラムヘッド３Ｃの側面図である。図６（ａ）に示すように、ドラムヘッド３Ｃは、補強部材１５０Ｃを有する。補強部材１５０Ｃは、１枚のフィルムで構成されており、各開口孔１５の周縁に沿って固定される領域と、各開口孔１５の周縁同士を縁部２Ａ付近で結合する領域に大別される。補強部材１５０Ｃを除く他の部分の構成はドラムヘッド３と同一であり、図６において図２と共通する部分には同一符号を付し、詳細な説明は省略する。この態様によれば、開口孔１５の周縁に加えて各開口孔１５の周縁の間にも補強部材１５０Ｃが固定される。したがって、開口孔１５の周縁の補強が強化されるとともに、同周縁にかかる張力が増大するため、第１実施形態における各種効果を高めることができる。また、各開口孔１５の周縁に補強部材を別個に固定する必要がなく、ドラムヘッド３の製造時の手間を省くことができる。
【００３９】
＜第５実施形態＞
図７は、本発明の第５実施形態であるドラムヘッド３Ｄの構成を示す断面図である。図７に示すように、ドラムヘッド３Ｄは補強部材１５０Ｄを有する。補強部材１５０Ｄは、有効振動膜部１２Ｂ（外周領域１２Ｘ）の上面および下面の各面に跨って固定されるという点において、補強部材１５０Ｂと異なる。図示の例では、補強部材１５０Ｄは、断面コの字型の形状を有し、有効振動膜部１２Ｂを挟み込むように有効振動膜部１２Ｂの上面および下面に固定されている。補強部材１５０Ｄを除く他の部分の構成はドラムヘッド３Ｂと同一であり、図７において図５と共通する部分には同一符号を付し、詳細な説明は省略する。この態様によれば、有効振動膜部１２Ｂの上面に加えて下面にも補強部材１５０Ｄが固定されるため、開口孔１５の周縁の補強が強化されるとともに、同周縁にかかる張力が増大し、第１実施形態における各種効果を高めることができる。なお、開口孔１５の周縁に補強部材１５０を上面および下面の各々に別個に固定してもよい。
【００４０】
＜第６実施形態＞
図８は、本発明の第６実施形態であるドラムヘッド３Ｅの構成例を示す図である。図８（ａ）はドラムヘッド３Ｅの平面図であり、図８（ｂ）は図８（ａ）を矢印Ａ方向から見たドラムヘッド３Ｅの側面図である。図８（ａ）に示すように、ドラムヘッド３Ｅは補強部材１５０Ｅを有する。補強部材１５０Ｅは短冊状の形状を有し、各端部は開口孔１５の周縁に固定されている。より詳細には、補強部材１５０Ｅは、開口孔１５の中央付近において、その長手方向を有効振動膜部１２の半径方向に一致させ、開口孔１５を跨いだ２点間に固定されている。補強部材１５０Ｅを除く他の部分の構成はドラムヘッド３と同一であり、図８において図２と共通する部分には同一符号を付し、詳細な説明は省略する。この態様では、張設部４により有効振動膜部１２に張力を与えると、補強部材１５０Ｅが有効振動膜部１２の半径方向外側に引っ張られ、補強部材１５０Ｅを介して開口孔１５の周縁に同方向の張力がかかる。したがって、この態様によっても、開口孔１５０の周縁にかかる張力を増大させることができる。ただし、この態様では、開口孔１５の周縁の補強が上記第１実施形態に比べて弱くなる。この点に留意して適宜固定態様を選択するのが望ましい。
【００４１】
図９は、ドラムヘッド３Ｅの他の構成例を示す図である。図９に示すように、各開口孔１５につき２個の補強部材１５０Ｅ＿１および１５０Ｅ＿２を固定してもよい。この態様によれば、上記効果を更に高めることができる。
【００４２】
＜第７実施形態＞
図１０は、本発明の第７実施形態であるドラムヘッド３Ｆの構成を示す図である。図１０（ａ）はドラムヘッド３Ｆの平面図であり、図１０（ｂ）は図１０（ａ）を矢印Ａ方向から見たドラムヘッド３Ｆの側面図である。図１０（ａ）に示すように、ドラムヘッド３Ｆは補強部材１５０Ｆを有する。補強部材１５０Ｆは、補強部材１５０と補強部材１５０Ｅ＿１および１５０Ｅ＿２を結合させたものである。すなわち、補強部材１５０Ｆは、開口孔１５の周縁に沿って固定される領域と、開口孔１５を跨いだ２点間に固定される領域を有する。補強部材１５０Ｆを除く他の部分の構成はドラムヘッド３と同一であり、図１０において図２と共通する部分には同一符号を付し、詳細な説明は省略する。この態様によれば、開口孔１５の周縁が有効振動膜部１２の半径方向外側により強く引っ張られるため、第１実施形態における各種効果を高めることができる。
【００４３】
＜他の実施形態＞
以上、この発明の各実施形態について説明したが、この発明には他にも実施形態が考えられる。例えば、以下の通りである。
【００４４】
（１）上記各実施形態（第６実施形態を除く）において、補強部材１５０を密度の大きな部材で構成してもよい。これにより、開口孔１５の周縁の剛性を高め、開口孔１５の周縁の補強を強化することができる。しかし、この場合、高次の振動モードの特性に変化が生じ、通常のドラムとは異なる音色の音が発生する虞があるため、部材の選択には留意する必要がある。
【００４５】
（２）上記各実施形態において、補強部材１５０をヘッド部１１の下面にのみ固定してもよい。この態様によっても、上記各実施形態と同様の効果が得られる。加えて、この態様によれば、演奏時に補強部材１５０がスティック等によって直接打撃されることがなく、その衝撃により補強部材１５０がヘッド部１１から剥離することを防止できる。また、この態様では、開口孔１５の周縁の補強を強化するために補強部材１５０の厚みを厚くしても演奏の妨げになることがない。なお、補強部材１５０をヘッド部１１の上面にのみ固定する態様（図１参照）では、補強部材１５０の打撃時の打感により打撃位置を確認できるといった効果が期待される。したがって、演奏特性や打撃強度等に応じて、適宜固定態様を選択するのが望ましい。
【００４６】
（３）上記各実施形態では、張設部４のラグ２１やチューニングボルト２３の数を開口孔１５の数と同数としたが（図１（ａ））、異数としてもよい。また、上記各実施形態では、開口孔１５とラグ２１がシェル２の外周の内側または外側で互い違いとなるように配置させたが、上記位置関係はこれに限定されるものではなく適宜変更してもよい。
【００４７】
（４）上記各実施形態において、開口孔１５の周縁に補強部材１５０を固定する代わりに、樹脂を塗布してもよい。この態様でも、開口孔１５の周縁の補強を強化するとともに、同周縁にかかる張力を増大させることができる。この場合の樹脂としては、光硬化樹脂や熱硬化樹脂を用いることが考えられる。
【００４８】
（５）上記各実施形態では、複数の開口孔１５の各々の周縁の少なくとも一部に補強部材１５０を固定したが、補強部材１５０の固定態様はこれに限定されるものではない。複数の開口孔１５の各々の周縁のうち、少なくとも１個の開口孔１５の周縁の少なくとも一部に補強部材１５０を固定してもよい。この場合、上記固定態様としては、対称性のある固定態様、すなわち複数の開口孔１５の各々の周縁のうち、向かい合った開口孔１５の各々の周縁の少なくとも一部に補強部材１５０を固定するのが好ましい。
【００４９】
（６）上記第４実施形態では、補強部材１５０Ｃは、各開口孔１５の間の縁部２Ａ付近で結合されていたが、補強部材１５０Ｃの構成はこれに限定されるものではない。補強部材１５０Ｃは、複数の開口孔１５のうち互いに隣り合う少なくとも１組の開口孔１５の各々の間の縁部２Ａ付近で結合されていればよい。
【００５０】
（７）補強部材１５０Ｃ（第４実施形態）と補強部材１５０Ｅ（第６実施形態）または補強部材１５０Ｅ＿１および１５０＿２（第７実施形態）を結合させてもよい。
【符号の説明】
【００５１】
１…ドラム、２…シェル、２Ａ…縁部、３，３Ａ〜３Ｆ…ドラムヘッド、４…張設部、１１，１１Ｂ…ヘッド部、１２，１２Ｂ…有効振動膜部、１２Ｘ…外周領域、１２Ｙ…中央領域、１３，１３Ｂ…外側膜部、１４…フレッシュフープ、１５，１５Ｂ…開口孔、１５０，１５０Ａ〜１５０Ｆ…補強部材、２１…ラグ、２２…フープ、２３…チューニングボルト。
【図１】
2017173723.tif 000003
【図２】
2017173723.tif 000004
【図３】
2017173723.tif 000005
【図４】
2017173723.tif 000006
【図５】
2017173723.tif 000007
【図６】
2017173723.tif 000008
【図７】
2017173723.tif 000009
【図８】
2017173723.tif 000010
【図９】
2017173723.tif 000011
【図１０】
2017173723.tif 000012